(57)【要約】【課題】  重心をフェースから奥深い位置に設定でき、スイートスポットを少し外してボールをパットしても、重心に対する斜めの衝撃角度を少なくし、フェースの角度保持力と自己直行推進助成力により、方向性に優れたパットが行える三点ウエイトパターを提供する。【解決手段】  フェース部１４のトウ側端部とヒール側端部に後方に突出する延長部１５、１６を設け、更に、フェース部１４の中央部付近の後方に上記両延長部１５、１６よりも長い延長部１７を後方に向けて突設し、各延長部１５、１６、１７の後端にそれぞれウエイト１８、１９、２０を設け、上記各ウエイト１８、１９、２０を平面的にフェース部１４の後方で三角配置となるようにしている。【選択図】  図１
2005211613.tif 000002
【特許請求の範囲】
【請求項１】
フェース部のトウ側端部とヒール側端部のそれぞれ後方及びフェース部の中央部付近の後方の三点にウエイトが設けられ、上記各ウエイトが平面的に三角配置となるよう、中央部付近の後方に位置するウエイトを、トウ側端部とヒール側端部の両ウエイトよりも後方に位置させた三点ウエイトパター。
【請求項２】
前記中央部付近の後方のウエイトは、フェース部の後部側に後方へ延びるよう設けた延長部の後端部に装着され、この延長部は途中の位置から後端側が平面的に折り曲げ可能になり、後方への直線状態の固定とフェース部に接近させた折り畳みが選択できるようになっている請求項１に記載の三点ウエイトパター。
【請求項３】
前記フェース部の上面で長さ方向の中心部の近くの位置にシャフトが取り付けられ、このフェース部へのシャフト取付け点やスイートスポットに対し、フェースの両端から下がった位置の後方にあるトウトヒール側のウエイトは三角のやじろべいの配置になっている請求項１又は２に記載の三点ウエイトパター。
【発明の詳細な説明】
【技術分野】
【０００１】  この発明は、ゴルフに使用するパター、特に、打撃時のフェース面のびびりや角度の狂いを防ぐことができ、目標に対する角度保持能力と自己直行推進助成力を兼ね備え、正確なパッティングが行える三点ウエイトパターに関する。
【背景技術】
【０００２】  従来、ゴルフ用のパターのヘッドは、種々のデザインに形成されているが、パターのヘッドには、正確なパッティングを行うことができるように、ヘッドを振ったときの直進性に優れ、パッティング時にスイートスポットを少し外しても、フェースにねじれの発生が少ないという機能が更に要求される。【０００３】  図４は、従来のパターにおけるヘッド部分の一例を示し、ヘッド１は、フェース部２のトウ側とヒール側の両端部に略同重量のウエイト３と４をそれぞれ設けて形成され、フェース部２上の適宜位置にシャフト５が固定されている。
【発明の開示】
【発明が解決しようとする課題】
【０００４】  ところで、図４に示した従来のパターのように、フェース部２の両端にウエイト３と４を設けた構造のヘッド１は、スイートスポットの重心がフェース面から浅い位置にあり、ボールへの当たりがスイートスポットを外した場合、両ウエイト３と４間の重心に対し斜めの衝撃を受けることになり、これによってフェース部２にねじれが生じ、ボールの方向性が悪くなるという問題がある。【０００５】  そこで、この発明の課題は、フェースの両サイドのウエイトを後方に下げて、スイートスポットと三角形のやじろべいとなし、更に、フェース中心部から奥深い位置に設定したウエイトからなり、スイートスポットを少し外してボールをパッティングしても、重心に対する斜めの衝撃角度を少なくし、フェースの角度保持力と自己直行推進助成力により、方向性に優れたパットが行える三点ウエイトパターを提供することにある。
【課題を解決するための手段】
【０００６】  上記のような課題を解決するため、この発明は、フェース部のトウ側端部とヒール側端部のそれぞれ後方及びフェース部の中央部付近の後方の三点にウエイトが設けられ、上記各ウエイトが平面的に三角配置となるよう、中央部付近の後方に位置するウエイトを、トウ側端部とヒール側端部の両ウエイトよりも後方に位置させた構成を採用したものである。【０００７】  前記中央部付近の後方のウエイトは、フェース部の後部側に後方へ延びるよう設けた延長部の後端部に装着され、また、ゴルフバック内において嵩張らないよう、この延長部は途中の位置から後端側が平面的に折り曲げ可能になり、後方への直線状態の固定とフェース部に接近させた折り畳みが選択できるようになっている構造とすることができる。【０００８】  また、前記フェース部の上面で長さ方向の中心部の近くの位置にシャフトが取り付けられ、このフェース部へのシャフト取付け点に対して、上記したトウ側とヒール側の後部のウエイトがやじろべいの配置となり、パターを振ってボールに当たった場合、その衝撃は、上記した両端のウエイトがやじろべいの如く吸収し、フェース部の狂いを抑えることになる。【０００９】  ここで、フェース部とウエイトを取り付けるためにフェース部から後方に延びる延長部は、ウエイト効果を上げるために、フェース部を含む全体を薄肉厚にして軽くし、かつ、アルミ等の軽合金や合成樹脂等の軽比重材料を用い、ウエイトは、鉛、銅、真鍮等の比重の重い金属で形成されている。
【発明の効果】
【００１０】  この発明によると、フェース部のトウ側端部とヒール側端部の後方及びフェース部の中央部付近の後方にそれぞれウエイトが設けられ、上記各ウエイトが平面的にフェースより後方の三角配置となるようにし、中央部付近の後方に位置するウエイトを、トウ側端部とヒール側端部の両ウエイトよりも後方に位置させたので、重心をフェース面から奥深い位置に設定でき、フェース面のスイートスポットにボールを当てた場合、フェース面に対する衝撃は、両端後部の深い重心線ウエイトの静止慣性と、やじろべい効果によって三点のウエイトに分散され、これによって、フェース面はびびらず角度は安定し、フェース面の平面角度を保ことになり、スイートスポットを少し外してボールをパットしても、フェース面が目標ラインに対して直角の姿勢でボールに当たり、中央部後方のウエイトにより直進性が得られ、ボールを目標ラインに沿って正確に転がすことができ、ゴルフにおけるパット数の削減が可能になる。【００１１】  また、中央部付近の後方に位置するウエイトを、トウ側端部とヒール側端部の両ウエイトよりも後方に位置させたので、フェース面と上記ウエイトの距離が長くなり、角度保持慣性と自己直行助成慣性とを有することになり、ボールを打った時にフェースにこのウエイトによって直行性が生じ、両端のウエイトと共にフェース面の直角を保ち、正確なパッティングが可能になる。【００１２】  更に、中央部付近の後方のウエイトを装着する延長部を、途中の位置から後端側が平面的に折り曲げ可能になり、後方への直線状態の固定とフェース部に接近させた折り畳みが選択できるようにすると、延長部の折り畳みによって後方への突出量が少なくなり、嵩張らないので持ち運びに対して便利である。
【発明を実施するための最良の形態】
【００１３】  フェース部のトウ側端部とヒール側端部の後方のウエイトはスイートスポットから見て三角形のやじろべいウエイトとなり、且つ、中央部付近の後方に位置するウエイトを、トウ側端部とヒール側端部の両ウエイトよりも後方に位置させ、上記各ウエイトは、中央部後方ウエイトを頂点とする平面的な後方の深い重心線の三角配置となす。
【実施例１】
【００１４】  以下、この発明の実施例を説明する。【００１５】  図１のように、実施例１の三点ウエイトパター１１は、ヘッド１２とこれに取り付けたシャフト１３とからなり、上記ヘッド１２は、直線状のフェース部１４と、このフェース部１４のトウ側端部とヒール側端部からそれぞれ直角の配置で後方に延びる延長部１５、１６と、フェース部１４の中央部付近から後方に延びる長い延長部１７を設けて平面山型に形成され、上記短い延長部１５と１６の後端と、長い延長部１７の後端とにそれぞれウエイト１８と１９及び２０が設けられている。【００１６】  前記ヘッド１２におけるフェース部１４と各延長部１５、１６、１７は、アルミ等の軽合金や硬質合成樹脂等の軽比重の材料を用い、全体を薄肉厚にして軽くなるように、内側が中空となるように形成され、また、各ウエイト１８と１９及び２０は銅、真鍮、鉛、銅タングステン合金等の比重の重い金属で形成され、ねじ固定や接着固定、テーパ孔への叩き込み固定等の手段で、各延長部１５、１６、１７の後端にそれぞれ固定されている。【００１７】  上記フェース部１４の中央部付近から後方に延びる長い延長部１７は、後端のウエイト２０を含む長さが、両端後方の延長部１５、１６に取り付けたウエイト１８、１９よりも後方に突出するような長さに設定され、両端のウエイト１８、１９と長い延長部１７に取り付けたウエイト２０は、フェース部１４よりも後方の位置において平面的に三角配置となる。なお、長い延長部１７のウエイト２０を含む長さは、ゴルフルールに従い、フェース部１４の全長より短い長さに設定されている。【００１８】  上記フェース部１４の上面で長手方向の略中央部に近い位置に、スイートスポットの位置を示すスイートスポットマーク２１が形成され、また、この長手方向の略中央部に近い位置に、シャフトネック２２を設けてシャフト１３を斜めに角度をもって取り付けるようになっている。【００１９】  また、フェース部１４のの後方に設けた各ウエイト１８と１９及び２０の配置は、シャフト１３を水平状態で回転可能に保持したとき、フェース部１４が水平になるような重量配分とし、これにより、長い延長部１７のウエイト２０を中心とする左右のやじろべい効果が得られることになる。
【実施例２】
【００２０】  次に、図２は、第２の実施例の三点ウエイトパター１１を示している。なお、上述した第１の実施例と同一部分は、同一符号を付して説明に代える。【００２１】  この第２の実施例の三点ウエイトパター１１は、フェース部１４の中央部付近から後方に延びる長い延長部１７が後端部で広幅となるように形成され、この延長部１７の後端に設けたウエイト２０は、中央に配置する場合と、ヒール側に片寄る配置の場合があり、図示ではヒール側に片寄る配置の場合を示し、延長部１７の後端に設けたウエイト２０にトウ側が空白の筒状部２０ａでヒール側が中実部２０ｂとなる中央片寄りの偏心ウエイトを用い、ヘッド１２における各ウエイト１８と１９及び２０の重量配分をヒール側に片寄った配置としたものである。【００２２】  上記ヘッド１２におけるフェース部１４のトウ側端部とヒール側端部からそれぞれ直角の配置で後方に延びる延長部１５、１６は、フェース部１４の上下から後方に突出する矩形状の対向壁によって形成され、中央部の長い延長部１７は、この上下対向壁の後端中央部から延長状に突出する上下の平板で形成され、ウエイト１８と１９は、上下の対向壁間に挿入して接着やビス止め等によって固定され、また、上下延長部１７の後端部間に中央片寄りウエイト２０を挿入して接着やビス止め等によって固定している。【００２３】  第１と第２の実施例の三点ウエイトパター１１は、上記のような構成であり、フェース部１４のトウ側端部とヒール側端部に後方への短い延長部１５、１６を設け、両延長部１５、１６の後端にそれぞれウエイト１８、１９を設けると共に、フェース部１４の中央部付近の後方に長い延長部１７を設け、この延長部１７の後端にもウエイト２０を設けることにより、フェース部１４の後方に各ウエイト１８と１９及び２０が平面的に三角配置となり、ヘッド１２のフェース部１４はシャフト１３の取付け部分よりも後方がウエイト１８と１９及び２０によってフェース部１４より重くなる重量配分となっている。【００２４】  上記三点ウエイトパター１１の使用は、シャフト１３のグリップを握り、ヘッド１２のフェース面を目標ラインと直角になるようにスイートスポットマーク２１をボールに臨ませてセットし、パッティング運動を行う。【００２５】  上記パッティング時において、フェース部１４の後方に位置する三点のウエイト１８と１９及び２０によって、クラブを横にして水平を保った時、フェース部１４も水平になり、これがため、フェース面１４が、目標ラインに対して直角の面でボールに当たり、ボールを目標ラインに沿って正確に転がすことができ、特に、パターのバックスイングにおいて、異なる軌跡であっても最短直行の落下をする振り子打法において効果がある。【００２６】  上記のように、フェース部１４の後方に位置するヒール側とトウ側のウエイト１８と１９は、スイートスポットから後方に鈍角の配置となり、やじろべい効果によりフェースの直角方向を保つと共に、フェース部１４の中央部付近の後方に設けた延長部１７の後端のウエイト２０によって、ヘッド１２をパッティング方向に振った時、振り方向に従い、例えば、手引き車が人の後についてくるように、自己直行慣性の助成力が生じ、直行力の増���をもたらすことになる。【００２７】  即ち、自己直行慣性助成力の原理は、荷物を前に載せる手押し車は、常に移動方向を保つように制御しなければならないが、荷物が後ろにある手引き車の場合は、重心が後方にあるため、引っ張る方向に進行することになり、この発明のように、フェース部１４の後方に三点のウエイト１８と１９及び２０を位置させた構造は、丁度手引き車と同様の原理となり、上述したやじろべい効果と共に、ヘッド１２は打つ方向に直進することになる。【００２８】  また、フェース部１４の後方に位置する三点のウエイト１８と１９及び２０の三点三角配置により、それそれが離れていても、シャフト１３のグリップを握ってヘッド１２をセットすれば、フェース部１４はバランスが取れて水平となる。【００２９】  このことは、フェース部１４の両端より後方に離れたウエイト１８と１９と、中央部付近の後方に設けた延長部１７の後端のウエイト２０がフェース面の進行方向への角度を保持し、直行慣性をなすことを意味する。【００３０】  ボールをパッティングした場合、上記したウエイト１８と１９及び２０の三点三角配置により、フェース面の直行方向への角度は決まり、また、フェース部１４の中央部付近の後方に設けた延長部１７の後端のウエイト２０がもたらす自己直行慣性の助成力が付加され、ボールは真直ぐに転がることになる。【００３１】  この場合、目標に対する直角保持と自己直行慣性助成力を得るウエイト１８と１９及び２０の三点三角配置のヘッド１２であるから、ボールはフェース面に対して直角に転がり、ホールに入る確率が向上する。【００３２】  また、スイートスポットにボールが当たった場合、中央部付近の後方に設けた延長部１７の後端のウエイト２０がヒール側に片寄っていると、当たった衝撃は中央とトウ側のウエイト１８と２０間で受けることにな。例えば、直立に物を持てばひょろつくが、両足を開いて物を下げたと同様に角度は安定する。従って、ボールは直行勢力により真っ直ぐに転ぶことになる。【００３３】  従来のパターにおいては、トウ側とヒール側のウエイトは、略同じ重量にバランスされているが、ヘッド自身には直進的方向への角度保持と自己慣性能力が少なく、また、直行推進力も同様にないため、従って、パットはプレーヤそれぞれの技量に左右され、このことから、パットに定法なしと言われる所為である。【００３４】  これに対して、この発明の三点ウエイトパター１１は、フェース部１４の両端後部にウエイト１８と１９を設けると同時に、フェース部１４の中央部付近の後方にもウエイト２０を設けてあるので、各ウエイト１８と１９及び２０は深い重心の三点三角の配置でバランスを補い、これによって、角度保持慣性と自己直行助成慣性とを有し、従って、ボールをパッティングした場合に、フェース面は目標ラインに対して直角の姿勢でボールに当たり、これによってボールを目標ラインに沿って素直に真直ぐ転がることになり、パットの方向性が向上するするので、距離の遠近にかかわらずボールは素直に真直ぐ転がることになり、パットの方向性が向上してボールへのカップインの効率を高めることができる。【００３５】  なお、フェース部１４の中央部付近の後方に設けた延長部１７は、フ���ース部１４の中央に設けるほか、ややヒール側に寄せて設けることができ、このようにすると、足を開いて立った場合のように、ボールが当たったときの中心部の角度の影響が少なくなる。【００３６】  また、シャフトを水平にしてバランスした条件で延長部１７をヒール側に寄せれば、打球時のフェース部１４の角度が安定する。
【実施例３】
【００３７】  次に、図３は、第３の実施例の三点ウエイトパター１１を示している。【００３８】  この第３の実施例は、フェース部１４の中央部付近の後方に設けた延長部１７の途中の位置に折り曲げ部となるヒンジ機構２３を設け、このヒンジ機構２３の枢軸２４を中心にして延長部１７の後端側１７ａを平面的に折り曲げ可能にし、図２実線で示す後端側１７ａの後方への直線状態の固定と、同図一点鎖線のように、フェース部１４に接近させた折り畳みが選択できるようにしたものである。【００３９】  なお、延長部１７の直線状の折り曲げ部の固定は、図示省略したが、ヒンジ機構２３の部分にネジで締め付けて使用中に折れ曲がりが生じないような固定構造を採用すればよく、このように、延長部１７の後端側１７ａを途中から折り曲げ自在とすると、後方へ突出する直線状態の固定とフェース部に接近させた折り畳みが選択できることになり、後方に長く突出する延長部１７の後端側１７ａとウエイト２０をフェース部１４に略平行するよう折り曲げることで、後方への突出量を少なくして平面的に嵩低い状態にすることができ、持ち運びに便利となる。
【図面の簡単な説明】
【００４０】
【図１】この発明の三点ウエイトパターを示す第１実施例の後方から見た斜視図
【図２】この発明の三点ウエイトパターを示す第２実施例の後方から見た斜視図
【図３】この発明の三点ウエイトパターを示す第３実施例の後方から見た斜視図
【図４】従来のパターを示す正面から見た斜視図
【符号の説明】
【００４１】１１      三点ウエイトパター
１２      ヘッド
１３      シャフト
１４      フェース部
１５      延長部
１６      延長部
１７      延長部
１７ａ    後端側
１８      ウエイト
１９      ウエイト
２０      ウエイト
２０ａ    筒状部
２０ｂ    中実部
２１      スイートスポットマーク
２２      シャフトネック
２３      ヒンジ機構
２４      枢軸
【図１】
2005211613.tif 000003
【図２】
2005211613.tif 000004
【図３】
2005211613.tif 000005
【図４】
2005211613.tif 000006